(57)【特許請求の範囲】
【請求項１】
ドアの表面に取り付ける台座と、
該台座に嵌合して該台座を被覆する、側板を備える化粧カバーを有し、
該台座は、その外周面に、該化粧カバーの係止突起が係止する係止溝と、該化粧カバーの切欠部と係止する第１ロック用弾性体と、該切欠部と係止せず該化粧カバーの側板の内側を押圧する第２ロック用弾性体を有し、
該化粧カバーは、該側板の先端部に、該係止溝と係止する係止突起と、該第１ロック用弾性体と係止する切欠部を有することを特徴とするドア錠の台座構造体。
【請求項２】
該係止溝は、軸方向と平行に延びる第１係止溝と該第１係止溝に連続するドア面側で周方向に切り欠かれた第２係止溝とで形成されるＬ字形状の溝であることを特徴とする請求項１記載のドア錠の台座構造体。
【請求項３】
該第１ロック用弾性体は、該切欠部と係止する突起を有し、径方向への作用力により弾性変形し、該作用力を取り除くことで、元の形状に復元するものであることを特徴とする請求項１又は２記載のドア錠の台座構造体。
【請求項４】
該第１ロック用弾性体と該第２ロック用弾性体は、同一の別部材であることを特徴とする請求項１〜３のいずれか１項に記載のドア錠の台座構造体。
【請求項５】
該ロック用弾性体は、バネ鋼製又は樹脂製であって、アーチ状の板状本体部と、該板状本体部の両端の脚部と、該板状本体部の中央凸面に形成される突起とを有し、該突起が該切欠部と係止することを特徴とする請求項３に記載のドア錠の台座構造体。
【請求項６】
該突起は、四角形断面で且つ先細りであり、且つ該化粧カバーの取り付け回動方向とは逆の面が該板状本体部から直角に起立する面であることを特徴とする請求項５に記載のドア錠の台座構造体。
【請求項７】
該係止突起は、化粧カバーの先端から中心方向に突出する爪であることを特徴とする請求項２記載のドア錠の台座構造体。
【請求項８】
該爪は、爪の厚みが該第２係止溝の溝幅と同じか又は小さく、爪の幅が該第１係止溝の溝幅と同じ又は小さいことを特徴とする請求項７記載のドア錠の台座構造体。
【発明の詳細な説明】
【技術分野】
【０００１】
本発明は、開閉ドアの片面又は両面に設置されるドア錠の台座構造体に関する。
【背景技術】
【０００２】
従来、ドアの施錠に使用されるラッチ錠は、ドアの端面からラッチボルトを出没させるレバーハンドルと、レバーハンドルをドア面に固定するための台座とからなるものが知られている。通常、ドア両面に台座を固定する際、左右一対の台座をドアを横断する長さのネジでネジ止めする方法が採られている（特開２００２−３８７７２号公報）。この場合、台座にネジ頭が露出するため、意匠性に劣る。このため、台座を覆い隠すカバー部材を使用することが知られている（特開２０００-１４５２１４号公報）。
【０００３】
特開２０００-１４５２１４号公報に記載の台座は、取付座本体の外面を化粧カバーで被覆するので外観の見栄えがよい。そして、この台座は、化粧カバーを取り外し、ねじを弛めて取付座本体をドアから取り外す。この化粧カバーを取付座本体から取り外すには、例えば、化粧カバーとドア面との間にドライバーなどの工具を押し込み、その工具を斜め方向に押し上げて取り外す。このような化粧カバーの取り外しは、工具でドアの表面を損傷する恐れがある。また、レバーハンドルの長期間に亘る繰り返し操作により、取付座本体と化粧カバーの嵌合が緩み、取付座本体から化粧カバーが外れる恐れがある。
【０００４】
また、特開２００８-２０８６１７号公報には、化粧カバーである嵌合丸座の裏面に形成された係止溝と該係止溝に係止する固定裏板の係止片との係止により、嵌合丸座と固定裏板との嵌合方法が開示されている。このハンドルレバー用座においても、レバーハンドルの長期間に亘る繰り返し操作により、固定裏板と嵌合丸座の嵌合が緩み、固定裏板から嵌合丸座が外れる恐れがある。
【先行技術文献】
【特許文献】
【０００５】
【特許文献１】特開２００２−３８７７２号公報
【特許文献２】特開２０００-１４５２１４号公報
【特許文献３】特開２００８-２０８６１７号公報
【発明の概要】
【発明が解決しようとする課題】
【０００６】
従って、本発明の目的は、レバーハンドルの繰り返し操作によっても化粧カバーが台座
から容易に脱落せず、且つ台座から化粧カバーを簡単に取り外すことができるドア錠の台座構造体を提供することにある。
【課題を解決するための手段】
【０００７】
すなわち、本発明は、ドアの表面に取り付ける台座と、該台座に嵌合して該台座を被覆する化粧カバーを有し、該台座は、その外周面に、該化粧カバーの係止突起が係止する係止溝と、該化粧カバーの切欠部と係止する複数個のロック用弾性体とを有し、該化粧カバーは、その先端部に、該係止溝と係止する係止突起と、該ロック用弾性体と係止する切欠部を有することを特徴とするドア錠の台座構造体を提供するものである。
【０００８】
また、本発明は、該係止溝は、軸方向と平行に延びる第１係止溝と該第１係止溝に連続するドア面側で周方向に切り欠かれた第２係止溝とで形成されるＬ字形状の溝であることを特徴とする前記ドア錠の台座構造体を提供するものである。
【０００９】
また、本発明は、該ロック用弾性体は、該切欠部と係止する突起を有し、径方向への作用力により弾性変形し、該作用力を取り除くことで、元の形状に復元するものであることを特徴とする前記ドア錠の台座構造体を提供するものである。
【００１０】
また、本発明は、該ロック用弾性体は２個以上であることを特徴とする前記ドア錠の台座構造体を提供するものである。
【００１１】
また、本発明は、該ロック用弾性体は、バネ鋼製又は樹脂製であって、アーチ状の板状本体部と、該板状本体部の両端の脚部と、該板状本体部の中央凸面に形成される突起とを有し、該突起が該切欠部と係止することを特徴とする前記ドア錠の台座構造体を提供するものである。
【００１２】
また、本発明は、該突起は、四角形断面で且つ先細りであり、且つ該化粧カバーの取り付け回動方向とは逆の面が該板状本体部から直角に起立する面であることを特徴とする前記ドア錠の台座構造体を提供するものである。
【００１３】
また、本発明は、該係止突起は、化粧カバーの先端から中心方向に突出する短い爪であることを特徴とする前記ドア錠の台座構造体を提供するものである。
また、本発明は、該爪は、爪の厚みが該第２係止溝の溝幅と同じか又は若干小さく、爪の幅が該第１係止溝の溝幅と同じ又は若干小さいことを特徴とする前記ドア錠の台座構造体を提供するものである。
【発明の効果】
【００１４】
本発明によれば、台座の係止溝と化粧カバーの係止突起が係止し、化粧カバーの切欠部とロック用弾性体とが係止するため、強い嵌合状態となる。また、化粧カバーの切欠部から突出するロック用弾性体を、ドライバーの先端などで押し込めば、弾性体は撓んで化粧カバーの内面より内側に没入し、この状態において、化粧カバーを取り付け方向とは反対方向に回動させれば、化粧カバーの切欠部とロック用弾性体の係止が解除され、また、台座の係止溝と化粧カバーの係止突起の係止が解除される。これにより、台座から化粧カバーが容易に外すことができる。
【図面の簡単な説明】
【００１５】
【図１】本発明の実施の形態における台座構造体の分解斜視図である。
【図２】図１の台座構造体で使用する台座の分解図である。
【図３】図１の台座構造体で使用するロック用弾性体の斜視図である。
【図４】図３のロック用弾性体の平面図である。
【図５】ロック用弾性体装着前の台座のボス側から見た平面図である。
【図６】台座のボス側から見た平面図である。
【図７】図２の台座の側面図である。
【図８】図１の台座構造体で使用する化粧カバーとレバーハンドルの分解斜視図である。
【図９】図６の化粧カバーの断面図である。
【図１０】台座に化粧カバーを取り付ける前の図であり、切欠部側から見た図である。
【図１１】化粧カバーの取り付けの第１工程を説明する図である。
【図１２】第１工程における台座と化粧カバーの取り付け方法を説明する図であり、切欠部側から見た図である。
【図１３】第１工程における台座と化粧カバーの取り付け方法を説明する図である。
【図１４】化粧カバー取り付け後の台座構造体の斜視図である。
【図１５】取り付け後の台座構造体を切欠部側から見た図である。
【図１６】取り付け後の台座と化粧カバーの関係図である。
【図１７】化粧カバーを取り外す方法を説明する図である。
【図１８】化粧カバーを取り外す方法を説明する他の図である。
【図１９】第１工程における台座と化粧カバーの取り付け方法の変形例である（取り付け前）。
【図２０】第１工程における台座と化粧カバーの取り付け方法の変形例である（取り付け後）。
【発明を実施するための形態】
【００１６】
次に、本発明の実施の形態におけるドア錠の台座構造体（以下、単に「台座構造体」と言う。）を図１〜図２０を参照して説明する。図５及び図６中、ロック用弾性体（以下、単に「弾性体」とも言う。）４（４ａ、４ｂ）は判り易いようにハッチングを付した。また、図１６及び図１８〜図２０中、弾性体４（４ａ、４ｂ）と化粧カバー２は判り易いようにハッチングを付した。ドア錠としては、例えばラッチ錠であり、ドア９には円形の錠孔が形成され、ドア９の端面からラッチボルト８１が出入りするラッチ本体８がドア内に埋設され、ラッチ本体８のハブは錠孔の中心に配置され、ドア９の内外面に錠孔を塞ぐ台座１、１を設け、この台座１、１を錠孔内でネジで互いに連結し、台座１、１に保持されたレバーハンドル７はハブに貫通した角芯８２に嵌合される。これにより、レバーハンドル７を回動させることで、ドア端面から突出するラッチボルトの出し入れを行うものである。符号８６はサムターン孔であり、符号８６は角芯孔であり、９０度毎の取り付けが可能となっている。なお、化粧カバー２は、レバーハンドル７に回動自在に付設されている。
【００１７】
台座構造体１０は、ドア９の表面に取り付ける台座１と、台座１に嵌合して台座１を被覆する化粧カバー２を有する。台座１は、一般には丸座と呼ばれるものであり、薄い略円形断面の柱状体である。台座１の外周面１１には、化粧カバー２の係止突起５が係止する係止溝３と、化粧カバー２の切欠部６と係止する２個の弾性体が形成されている（図２）。
【００１８】
台座１に形成される係止溝３は、本例では、台座の軸（角芯）方向と平行に延びる第１係止溝３１と第１係止溝３１に連続するドア面側（ボス形成側）で周方向に切り欠かれた第２係止溝３２とで形成されるＬ字形状の溝である。係止溝３をＬ字形状としたのは、台座１に化粧カバー２を取り付けた後、それ以上の化粧カバー２の回転を規制すると共に、台座１から化粧カバー２が手前方向（取り付けの際の押し込みとは反対方向）に抜けないようにするためである。このため、第１係止溝３１の溝幅は、化粧カバー２の係止突起５である板状の爪の幅と同じまたは若干大きく、第２係止溝３２の溝幅は、係止突起５である板状の爪の厚みと同じか又は若干大きく、第２係止溝３２の溝長さは、係止突起５である板状の爪の幅と同じである。また、第１係止溝３１及び第２係止溝３２の溝深さは、化粧カバー２の係止突起５の突起長さと略同じである。係止溝３の設置数は、台座１の外周面に、複数個、本例では４つが周方向に９０度間隔で形成されている。台座１に化粧カバー２を取り付ける際、係止突起５と第１係止溝３１を位置合わせし、次いで化粧カバー２をドア面に対して直角方向から押し込む。これにより、係止突起５は第１係止溝３１内を移動する。次いで、台座１に対して化粧カバー２を回動させることで、係止突起５は、第２係止溝３２に入り込む。図２中、符号３７１がネジが螺合するボスである。
【００１９】
台座１に形成される弾性体４ａ、４ｂは、台座１に化粧カバー２が取り付けられた際、一方の弾性体４ｂは、内側から化粧カバー２の内周面をバネ付勢により押圧して嵌合強度を高め、他方の弾性体４ａは、化粧カバー２の切欠部６と係止して、化粧カバー２が逆回動（取り付けの際の回動方向とは反対の方向）することを防止する。すなわち、他方の弾性体４ａは、化粧カバー２の取り付け方向とは逆の方向に回動することをロックする。
【００２０】
弾性体４は、図３及び図４に示すように、本例では、板状体を屈曲させた形状であり、アーチ状の板状本体部４２と、板状本体部４２の両端の脚部４３、４３と、板状本体部４２の中央凸面に形成される突起４１とを有し、突起４１が切欠部６と係止するものである。すなわち、弾性体４は、径方向（図６中、符号Ｘ方向）への例えば、ドライバー９０の押し込みなどの作用力により弾性変形し、作用力を取り除くことで、元の形状に復元する。脚部４３は、板状本体部４２から直角に屈曲して延びており、次いで、反対方向へ約６０〜７０度屈曲している。脚部４３は２〜５ｍｍ程度の長さを有している。これにより、脚部４３が固定されれば、板状本体部４２は符号Ｘ方向への作用力に対してバネ効果を奏する。弾性体４は、バネ鋼製又は樹脂製が好ましく、上記２個に限定されず、３個又は４個であってもよい。本例では、２個の弾性体４ａ、４ｂは、周方向に９０度離れている。
【００２１】
弾性体４の突起４１は、四角形断面で且つ先細りであり、且つ化粧カバー２の取り付け回動方向とは逆方向の面４１１が板状本体部４２から直角に起立する面である。すなわち、突起４１の後面４１１以外の３面４１２、４１３、４１３は上方に向けて傾斜している。特に、前面４１２は、その傾斜角度が他の側面４１３、４１３より大となっている。これにより、台座１に化粧カバー２を取り付ける際、弾性体４との摩擦抵抗は小さくでき、取り付け後は、化粧カバーの切欠部６に突起４１の起立面４１１が直角に当たるため、化粧カバー２が取り付け方向とは反対方向に回動することがない。
【００２２】
台座１には、図５に示すように、弾性体４を装着する収容スペース３４を有している。収容スペース３４は２つの係止溝３の間であって、且つボス形成側の端面（底面）に近い台座内に形成されている。すなわち、収容スペース３４の形成位置は、収容スペース３４に弾性体４を装着し、台座１に化粧カバー２を嵌め込んだ際、化粧カバー２の切欠部６が弾性体４の突起４と係止する位置である。収容スペース３４は、弾性体４の形状に対応する凹状の形状であって、脚部形状のスペース３４１、３４１と、脚部形状のスペース３４１、３４１横の突起状の支持部３４２、３４２と、板状本体部４２収容スペース３４３を有している。支持部３４２、３４２間の凹状の面３４４は、弾性体４が外力により撓んだ際、この面３４４に板状本体部４２が当接して弾性体４の撓み過ぎを規制している。収容スペース３４への弾性体４の装着は、突起４１の起立面４１１が、化粧カバー２を嵌め込む際、化粧カバー２が回動する方向側となるようにする。これにより、化粧カバー２装着後、化粧カバー２の切欠部６の側壁に突起４１の起立面４１１が直角に当たる。
【００２３】
化粧カバー２は、図８及び図９に示すように、レバーハンドル７に回動自在に付設されている。すなわち、化粧カバー２はレバーハンドル７の基部７３周りを基部７３の軸中心として自在に回転する。従来、レバーハンドル７の繰り返し使用により、化粧カバー２と台座１の嵌合が緩み、台座１から化粧カバー２が外れることがあったが、本発明の台座構造体１０によれば、レバーハンドル７を繰り返し作動させても、台座１から化粧カバー２が外れることがない。なお、図８及び図９中、簡略記載のため、パッキン、バネ座などの記載は省略した。
【００２４】
化粧カバー２は、環状の側板２１の先端に、台座１の係止溝３と係止する係止突起５と、弾性体４と係止する切欠部６を有する。化粧カバー２の係止突起５は、環状の側板の先端から中心方向に突出する短い爪であり、爪は、爪の厚みが第２係止溝３２の溝幅と同じか又は若干小さく、爪の幅が第１係止溝３１の溝幅と同じ又は若干小さい。係止突起５は、複数個であり、本例では、４つが９０間隔で形成されている。切欠部６は、環状の側板の端から四角形状に切り欠かれたものであり、本例では２つの係止突起５の間に１個形成したものである。切欠部６を１個とし、弾性体４を２個としたため、１個の弾性体４ａは切欠部６と係止し、他の１個の弾性体４ｂは切欠部６と係止せず、化粧カバー２を内側から外側へ押圧している。このため、弾性体４ａは化粧カバー２をロックする機能を奏し、弾性体４ｂは台座１と化粧カバー２の嵌合強度を高める機能を奏する。また、台座１は、本例では図１に示すように、ネジ止め位置（ボスの位置）が上下２箇所であるが、ネジ止め位置が左右２箇所となるものであってもよい。この場合、切欠部６と係止していた弾性体４ａが切欠部６と係止せず、切欠部６と係止していない弾性体４ｂが切欠部６と係止することになり、都合がよい。すなわち、本発明の台座構造体１０は、上下２箇所のネジ止め台座及び左右２箇所のネジ止め台座の両方に対して、同様の作用効果を奏する。
次に、台座構造体１０の組付方法について説明する。先ず、台座１を準備する。図５及び図６に示すように、弾性体４ａ、４ｂを台座１の収容スペース３４ａ、３４ｂに装着する。この際、弾性体４ａ、４ｂの突起４１ａ、４１ｂは、装着前の台座１の外周面より外側に僅かに突出している（図６参照）。これにより、化粧カバー２を嵌め込んだ際、ロック機能と嵌合強度付与機能の両機能が得られる。次いで、図１のようにドア面に台座１、１を取り付ける。本例では、ネジ止め用のボス３７１の位置は上下方向の２箇所である。次いで、化粧カバー２を装着したレバーハンドル７、７をハブに貫通した角芯８２に嵌合する。次に、化粧カバー２を台座１に取り付ける工程に入る。この時点で、レバーハンドル７、７は、例えばハンドル本体が水平状態となるように位置が決定されている。そして、化粧カバー２はレバーハンドル７に対して回動自在である。
【００２５】
化粧カバー２を台座１に取り付ける工程は、台座１に化粧カバー２をドア面に垂直方向に押し込む第１工程と、次いで、台座１に対して化粧カバー２を回動させる第２工程とからなる。第１工程において、図１０〜図１３に示すように、化粧カバー２の係止突起５を台座１の第１係止溝３１に合わせる。この状態で、台座１に対して化粧カバー２をドア面に垂直方向に押し込む（図１０参照）。これにより、化粧カバー２の係止突起５は、台座１の第１係止溝３１と係止しつつ移動し、第１係止溝３１のドア面側の端にくる。この際、化粧カバー２の切欠部６は、弾性体４ａの突起４１ａに対して、回転方向とは逆方向で１５度の位置にある（図１３の符号α）。なお、レバーハンドル７は角芯を介してラッチ本体に固定されており、化粧カバー２の回転や押し込み操作に影響を受けない。
【００２６】
次いで、第２工程に入る。第２工程は、第１工程に続く工程であり、係止突起５が、第１係止溝３１の最下位置にある状態（図１２及び図１３の位置）から化粧カバー２を、時計周り方向（符号Ｚ方向）に回動する。この際、２つの弾性体４ａ、４ｂは弾性変形して撓んでおり、化粧カバー２の回動を妨げることはない。そして、係止突起５は、第２係止溝３２内に入り込む。化粧カバー２は、係止突起５が第２係止溝３２を形成する回動方向側の内壁３３に当たることで回動は終了する（図１４〜図１６）。また、係止突起５は、第２係止溝３２に嵌っており、第１工程の押し込みとは反対方向へ抜けることはない。また、化粧カバー２の切欠部６は弾性体４１ａと係止しており、第２工程の回動方向とは反対の方向に回動することはない。図１６に示すように、台座１と化粧カバー２の嵌合により、一方の弾性体４ａの突起４１ａは化粧カバー２の切欠部６から突出して係止しており、他方の弾性体４ｂは、切欠部６に係止せず、弾性変形して化粧カバー２を内側から押圧している。このため、化粧カバー２は台座１から容易には外れず、また、台座１と化粧カバー２は強く嵌合している。
【００２７】
次に、台座１から化粧カバー２を外す方法を図１７及び図１８を参照して説明する。台座１から化粧カバー２を外すには、例えばドライバー９０を準備する。先ず、ドライバー９０により切欠部６から突出している弾性体４ａの突起４１ａを押し込む。これにより、弾性体４ａは弾性変形して板状本体部４２が凹形状に撓み、突起４１が化粧カバー２の内周面より内側に没入する。この状態から化粧カバー２を取り付け方向とは反対方向に回転させる（本例では１５度回転させる）。この際、化粧カバー２の係止突起５は、台座１の第２係止溝３２から外れ、第１係止溝３１の最下位置にくる。係止突起５は、第１係止溝３１の回転方向の溝側壁に当たるため、それ以上、回転はできない。次いで、化粧カバー２を台座１から引き抜く。これにより、レバーハンドル７を台座１から外すことができる。本発明の台座構造体１０によれば、レバーハンドルを交換したい場合、ドライバー１本で台座１からレバーハンドル７を簡単に外すことができる。
【００２８】
次に、台座１の取り付け位置が、図１６の取り付け位置とは９０度異なる場合について図１９及び図２０を参照して説明する。すなわち、図１６の台座１の場合、ネジ止めをするボス３７１の位置が上下方向の２箇所であるが、本例では、図１９のように、ボス３７１の位置が左右方向の２箇所であり、一方の弾性体４ａは右横に、他方の弾性体４ｂは真下に位置している。図１９のような台座位置であっても、化粧カバー２の取り付け位置及び取り付け方法は図１６の場合と同様である。図１９の台座構造体１０において、台座１と化粧カバー２の嵌合により、一方の弾性体４ｂの突起４１は化粧カバー２の切欠部６から突出して係止しており、他方の弾性体４ａは、切欠部６に係止せず、弾性変形して化粧カバー２を内側から押圧している。このため、化粧カバー２は台座１から容易には外れず、また、台座１と化粧カバー２は強く嵌合している。
【００２９】
本発明において、台座１は、外周面に形成される係止溝３及び弾性体４以外に、他の機能形状や部材を有していてもよい。例えば、台座内部にレバーハンドルの開操作から自動的に元の位置に戻すバネ部材を内蔵していてもよい。
【００３０】
本発明の台座構造体は上記実施の形態例に限定されず、種々の変形を採ることができる。弾性体４は上記２つに限定されず、３つ又は４つであってもよい。また、弾性体４の形状は図３及び図４の形状に限定されず、例えば、内部にバネを装着した棒状体であってもよい。また、台座構造体は、角座であってもよい。この場合、台座は本例と同じ円形断面であり、化粧カバーは外観が角形状であり、内部が円形断面の嵌合スペースである。
【産業上の利用可能性】
【００３１】
本発明の台座構造体は、台座と化粧カバーが強く嵌合している。このため、レバーハンドルの繰り返し使用によっても、化粧カバーが容易に外れることはない。ドライバーなどの簡単な工具を使用することで、台座から化粧カバーを簡単に外すことができる。
【符号の説明】
【００３２】
１    台座
２    化粧カバー
３    係止溝
４、４ａ、４ｂ  弾性体
５    係止突起
６    切欠部
７    レバーハンドル
８    ラッチ本体
９    ドア
１０  台座構造体
３１  第１係止溝
３２  第２係止溝
８１  ラッチボルト
８２  角芯
３７１  ボス
【図１】
0006562540.tif 000002
【図２】
0006562540.tif 000003
【図３】
0006562540.tif 000004
【図４】
0006562540.tif 000005
【図５】
0006562540.tif 000006
【図６】
0006562540.tif 000007
【図７】
0006562540.tif 000008
【図８】
0006562540.tif 000009
【図９】
0006562540.tif 000010
【図１０】
0006562540.tif 000011
【図１１】
0006562540.tif 000012
【図１２】
0006562540.tif 000013
【図１３】
0006562540.tif 000014
【図１４】
0006562540.tif 000015
【図１５】
0006562540.tif 000016
【図１６】
0006562540.tif 000017
【図１７】
0006562540.tif 000018
【図１８】
0006562540.tif 000019
【図１９】
0006562540.tif 000020
【図２０】
0006562540.tif 000021